(57)【特許請求の範囲】
【請求項１】
上下に向かう筒状のケーシング管を備え、このケーシング管の内側に上下に向かう筒状のスクリュー管を備え、このスクリュー管の外周に排土を行う螺旋状のスクリュー羽根を取り付けると共に、このスクリュー羽根に上下方向に貫通する貫通孔を上下にわたって複数設けた特殊多重管を用いて、
この特殊多重管を地盤中の所定の深度まで掘削しながら貫入し、貫入後、特殊多重管の下端において改良材又は土壌浄化材を特殊多重管内に噴射すると共に、特殊多重管のケーシング管及びスクリュー管を回転して、スクリュー管のスクリュー羽根に設けた貫通孔によって噴射した改良材又は土壌浄化材を上下方向に移動させながら改良材又は土壌浄化材と特殊多重管内の原地盤土を混練することにより、地盤中に柱状の地盤改良体を造成して地盤の改良を行うようにしたことを特徴とする特殊多重管を用いた地盤改良工法。
【請求項２】
特殊多重管の下端において改良材又は土壌浄化材を特殊多重管内に噴射して改良材又は土壌浄化材と原地盤土を混練するとき、特殊多重管のケーシング管及びスクリュー管を上下に移動させずに行うようにしたことを特徴とする請求項１記載の特殊多重管を用いた地盤改良工法。
【請求項３】
特殊多重管の下端において改良材又は土壌浄化材を特殊多重管内に噴射して改良材又は土壌浄化材と原地盤土を混練するとき、特殊多重管のケーシング管及びスクリュー管を上方又は上下に移動しながら行うようにしたことを特徴とする請求項１記載の特殊多重管を用いた地盤改良工法。
【請求項４】
特殊多重管の下端において特殊多重管内に噴射する改良材又は土壌浄化材にあっては、ケーシング管から排出する原地盤土の排出量と略同じ量の改良材又は土壌浄化材を噴射するように噴射口からの改良材又は土壌浄化材の噴射量をコントロールしたことを特徴とする請求項１乃至３のいずれか１項記載の特殊多重管を用いた地盤改良工法。
【発明の詳細な説明】
【技術分野】
【０００１】
本発明は、地盤の強度の増進又は地盤中の汚染物質の浄化を目的とし、地盤中に柱状の地盤改良体を造成して地盤の改良を行う地盤改良工法に関し、特に、礫や玉石等の硬質地盤層が存在する地盤中に柱状の地盤改良体を造成して地盤の改良を行う特殊多重管を用いた地盤改良工法に関する。
【０００２】
従来、地盤の強度の増進を目的とし、礫や玉石等の硬質地盤層が存在する地盤中に柱状の地盤改良体を造成して地盤の改良を行う地盤改良工法としては、図１４に示すように、まず、地盤中の所定の深度まで掘削する先行掘削作業を行う。この先行掘削作業としては、上下に向かう筒状のケーシング管３１を備え、このケーシング管３１の内側に上下に向かうスクリュー軸３２を備え、このスクリュー軸３２の外周に排土を行うスクリュー羽根３３を取り付けた二軸同軸式オーガー３０を用いるもので、この二軸同軸式オーガー３０を施工機械３４に装着し、施工機械３４にて二軸同軸式オーガー３０を地盤中の所定の深度まで掘削しながら貫入し、貫入後、施工機械３４にて二軸同軸式オーガー３０を地盤中から引抜くことにより、地盤中の所定の深度まで掘削するものである。なお、この二軸同軸式オーガー３０による地盤中の所定の深度まで掘削しながらの貫入では、地盤中に礫や玉石等の硬質地盤層が存在していても、確実に所定の深度まで掘削しながら貫入することができる。
【０００３】
次に、図１５に示すように、この先行掘削作業を行った後、地盤中にセメントミルクを噴射して地盤改良体Ｔを造成する地盤改良体造成作業を行う。この地盤改良体造成作業としては、上下に向かう管ロッド３６を備え、この管ロッド３６の下端に複数の攪拌翼３７を取り付けると共に、セメントミルクを噴射する噴射口３８を設けた深層混合機３５を用いるもので、この深層混合機３５を施工機械３９に装着し、先行掘削作業によって掘削した箇所に、管ロッド３６の下端の噴射口３８からセメントミルクを噴射しつつ、複数の攪拌翼３７にて噴射したセメントミルクと原地盤土を混練し、これを下方に向かって所定の深度まで行うことにより、地盤中に地盤改良体Ｔを造成するものである。
【０００４】
このように、地盤中の所定の深度まで掘削する先行掘削作業と、地盤中にセメントミルクを噴射して地盤改良体Ｔを造成する地盤改良体造成作業の二つの作業を行うことにより、礫や玉石等の硬質地盤層が存在する地盤中に柱状の地盤改良体Ｔを造成して地盤の改良を行う。
【発明の概要】
【発明が解決しようとする課題】
【０００５】
かかる従来の地盤改良工法にあっては、二軸同軸式オーガーを装着した施工機械を用いて、この二軸同軸式オーガーにて地盤中の所定の深度まで掘削する先行掘削作業を行うと共に、この先行掘削作業を行った後に、深層混合機を装着した別の施工機械を用いて、この深層混合機にて地盤中にセメントミルクを噴射して地盤改良体を造成する地盤改良体造成作業を行う、要するに、先行掘削作業と地盤改良体造成作業の二つの作業を行う必要があった。このため、作業の工程が非常に多く、施工機械や設備も多数となり、その作業性も非常に悪いものとなることから、地盤改良工事における工期が長くなると共に、その工費も高くなるといった問題があった。
【０００６】
そこで、本発明は、このような問題に鑑み、従来のような先行掘削作業と地盤改良体造成作業の二つの作業を行うことなく、一つの作業によって地盤中に柱状の地盤改良体を造成して地盤の改良を行えるようにすることで、地盤改良工事における作業の工程を大幅に低減し、そして作業性の向上を図ることにより、地盤改良工事における工期を短くすることができると共に、その工費も安価にすることができる特殊多重管を用いた地盤改良工法を提供することを、その課題とする。
【課題を解決するための手段】
【０００７】
第一の発明は、上下に向かう筒状のケーシング管を備え、このケーシング管の内側に上下に向かう筒状のスクリュー管を備え、このスクリュー管の外周に排土を行う螺旋状のスクリュー羽根を取り付けると共に、このスクリュー羽根に上下方向に貫通する貫通孔を上下にわたって複数設けた特殊多重管を用いて、この特殊多重管を地盤中の所定の深度まで掘削しながら貫入し、貫入後、特殊多重管の下端において改良材又は土壌浄化材を特殊多重管内に噴射すると共に、特殊多重管のケーシング管及びスクリュー管を回転して、スクリュー管のスクリュー羽根に設けた貫通孔によって噴射した改良材又は土壌浄化材を上下方向に移動させながら改良材又は土壌浄化材と特殊多重管内の原地盤土を混練することにより、地盤中に柱状の地盤改良体を造成して地盤の改良を行うようにした特殊多重管を用いた地盤改良工法である。
【０００８】
第二の発明は、第一の発明において、特殊多重管の下端において改良材又は土壌浄化材を特殊多重管内に噴射して改良材又は土壌浄化材と原地盤土を混練するとき、特殊多重管のケーシング管及びスクリュー管を上下に移動させずに行うようにした特殊多重管を用いた地盤改良工法である。
【０００９】
第三の発明は、第一の発明において、特殊多重管の下端において改良材又は土壌浄化材を特殊多重管内に噴射して改良材又は土壌浄化材と原地盤土を混練するとき、特殊多重管のケーシング管及びスクリュー管を上方又は上下に移動しながら行うようにした特殊多重管を用いた地盤改良工法である。
【００１０】
第四の発明は、第一、第二、第三のいずれかの発明において、特殊多重管の下端において特殊多重管内に噴射する改良材又は土壌浄化材にあっては、ケーシング管から排出する原地盤土の排出量と略同じ量の改良材又は土壌浄化材を噴射するように噴射口からの改良材又は土壌浄化材の噴射量をコントロールした特殊多重管を用いた地盤改良工法である。
【発明の効果】
【００１１】
本発明によれば、特殊多重管を用いて、この特殊多重管を地盤中の所定の深度まで掘削しながら貫入し、貫入後、改良材又は土壌浄化材を特殊多重管内に噴射すると共に、スクリュー管のスクリュー羽根に設けた貫通孔によって噴射した改良材又は土壌浄化材を上下方向に移動させながら改良材又は土壌浄化材と特殊多重管内の原地盤土を混練することにより、地盤中に柱状の地盤改良体を造成することで、従来のような先行掘削作業と地盤改良体造成作業の二つの作業を行うことなく、このような一つの作業によって地盤中に柱状の地盤改良体を造成することができ、これにより、地盤改良工事における作業の工程を大幅に低減し、そして作業性の向上を図ることにより、地盤改良工事における工期を短くすることができると共に、その工費も安価にすることができる
【００１２】
また、特殊多重管の下端において特殊多重管内に噴射する改良材又は土壌浄化材にあっては、ケーシング管から排出する原地盤土の排出量と略同じ量の改良材又は土壌浄化材を噴射するように噴射口からの改良材又は土壌浄化材の噴射量をコントロールしたことで、改良材又は土壌浄化材の使用する量を必要最小限にすることができ、使用する改良材又は土壌浄化材の量を低減し、コストを抑えることができる。しかも、改良材又は土壌浄化材の使用する量を必要最小限にすることにより、地表面上に排出される改良材又は土壌浄化材と原地盤土が混練したものの量も少なくでき、この廃棄処理作業を大幅に減らし、その作業を容易なものにすることもできる。
【図面の簡単な説明】
【００１３】
【図１】本発明における特殊多重管の説明図である。
【図２】本発明における特殊多重管のスクリュー管の説明図である。
【図３】図２のＡ−Ａ拡大断面図である。
【図４】本発明における特殊多重管を装着する施工機械及びその周辺設備の説明図である。
【図５】（ａ）本発明の特殊多重管を用いた地盤改良工法の説明図である。（ｂ）本発明の特殊多重管を用いた地盤改良工法の説明図である。（ｃ）本発明の特殊多重管を用いた地盤改良工法の説明図である。
【図６】（ｄ）本発明の特殊多重管を用いた地盤改良工法の説明図である。（ｅ）本発明の特殊多重管を用いた地盤改良工法の説明図である。（ｆ）本発明の特殊多重管を用いた地盤改良工法の説明図である。（ｇ）本発明の特殊多重管を用いた地盤改良工法の説明図である。
【図７】本発明の特殊多重管を用いた地盤改良工法におけるセメントミルクと原地盤土の混練状態を示す説明図である。
【図８】（ａ）本発明の特殊多重管を用いた地盤改良工法の別の例の説明図である。（ｂ）本発明の特殊多重管を用いた地盤改良工法の別の例の説明図である。（ｃ）本発明の特殊多重管を用いた地盤改良工法の別の例の説明図である。
【図９】（ｄ）本発明の特殊多重管を用いた地盤改良工法の別の例の説明図である。（ｅ）本発明の特殊多重管を用いた地盤改良工法の別の例の説明図である。（ｆ）本発明の特殊多重管を用いた地盤改良工法の別の例の説明図である。（ｇ）本発明の特殊多重管を用いた地盤改良工法の別の例の説明図である。
【図１０】本発明における特殊多重管の別の例の説明図である。
【図１１】本発明における特殊多重管の別の例の説明図である。
【図１２】地盤中に造成した地盤改良体の試験の結果を示す説明図である。
【図１３】地盤中に造成した地盤改良体の試験の結果を示す説明図である。
【図１４】従来の地盤改良工法の説明図である。
【図１５】従来の地盤改良工法の説明図である。
【発明を実施するための形態】
【００１４】
本発明の特殊多重管を用いた地盤改良工法の一実施形態について説明する。なお、ここで説明するものは、地盤の強度の増進を目的とし、地盤中に柱状の地盤改良体を造成して地盤の改良を行うものである。
【００１５】
まず、特殊多重管について説明すると、図１、図２、図３に示すように、特殊多重管１としては、上下に向かう筒状のケーシング管２を備え、このケーシング管２の下端に複数の掘削用のビット３を取り付ける。また、ケーシング管２には、上下方向にわたって複数の排出用窓部４を設け、この排出用窓部４にて排土する原地盤土をケーシング管２の内部から外に排出できるようにする。
【００１６】
そして、このケーシング管２の内側には、上下に向かう筒状のスクリュー管５を備え、このスクリュー管５の下端に複数の掘削用のビット７を取り付けた掘削ヘッド６を設け、この掘削ヘッド６に複数の噴射口８を設ける。また、このスクリュー管５の内部は管路となっており、水、あるいは改良材であるセメントミルクとエアー等が通るようにし、これにより、掘削ヘッド６に設けた噴射口８から水、あるいは改良材であるセメントミルクとエアー等を噴射できるようにする。この改良材としては、セメントミルクであるが、このセメントミルクに各種の添加剤を混ぜ合わせたものでも良く、さらには、これらに限定されるものではなく、石灰系の材料やこれらを混ぜ合わせたもの等その他のものでも良い。
【００１７】
なお、ケーシング管２の内側に備えるスクリュー管５にあっては、その内部が管路となって、ここを水あるいは改良材であるセメントミルクやエアー等が通るようになっているが、スクリュー管５の内側に、水あるいは改良材であるセメントミルクやエアー等が通るための専用管を別に備え、この専用管内を水あるいは改良材であるセメントミルクやエアー等が通るようにしても良い。
【００１８】
さらに、スクリュー管５の外周には、排土を行う螺旋状のスクリュー羽根１０を取り付け、このスクリュー羽根１０はケーシング管２の内径より僅かに小さい径の大きさにする。また、このスクリュー羽根１０には、上下方向に貫通する貫通孔１１を上下にわたって複数設ける。この貫通孔１１は、たとえば、スクリュー羽根１０の幅寸法の半分程度の直径となる円形状にすると共に、スクリュー羽根１０の円周方向において等間隔となる４ヶ所に設け、これを上下にわたって複数設ける。なお、この貫通孔１１については、これに限定されるものではなく、三角形状、四角形状、半円形状、扇形状といった他の形状や大きさのものでも良く、また、設ける箇所も円周方向に２ヶ所、３ヶ所、あるいは５ヶ所というようにしても良い。そして、この貫通孔１１には、棒材を縦横に組んだ格子１２を取り付けており、この格子１２により礫や玉石等の大きなものを確実に排土できるようにしている。なお、この貫通孔１１には、格子１２を必ず取り付けるものではなく、貫通孔１１の形状や大きさによっては格子１２を取り付けなくても良い。
【００１９】
一方、この特殊多重管１を装着する施工機械２０及びその周辺設備について説明すると、図４に示すように、施工機械２０としては、車体２１の前方にマスト２２を立設し、このマスト２２に沿って特殊多重管１を装着する。そして、この施工機械２０のマスト２２には、装着した特殊多重管１を地盤中に貫入したり引抜いたりする昇降装置２３を設けると共に、特殊多重管１のケーシング管２及びスクリュー管５それぞれを回転させる回転装置２４を設ける。
【００２０】
また、その周辺設備としては、セメントサイロ２５とセメント生成装置２６とポンプ２７をそれぞれ備え、セメントサイロ２５から流入するセメント原料をセメント生成装置２６においてセメントミルクに生成し、この生成したセメントミルクをポンプ２７によって特殊多重管１に供給する。また、コンプレッサー２８を備え、このコンプレッサー２８からエアーを特殊多重管１に供給する。さらに、図示していないが、水も特殊多重管１に供給する。
【００２１】
次に、この特殊多重管を用いた地盤改良工法について説明する。なお、この特殊多重管を用いた地盤改良工法によって地盤の改良を行う対象地盤については、地盤中に礫や玉石等の硬質地盤層が存在するものである。ただし、このような地盤に限定されるものではない。
【００２２】
図５（ａ）に示すように、施工機械２０に装着した特殊多重管１のケーシング管２及びスクリュー管５を回転させ、礫や玉石等の硬質地盤層が存在する地盤中に貫入する。
【００２３】
そして、図５（ｂ）に示すように、ケーシング管２及びスクリュー管５の下端の掘削ヘッド６にて掘削しながら貫入し、このとき、掘削の補助を行うため、掘削ヘッド６の噴射口８から水を噴射する。また、スクリュー管５のスクリュー羽根１０により排土を行い、ケーシング管２の排出用窓部４から原地盤土を外の地表面上に排出する。
【００２４】
そして、図５（ｃ）に示すように、特殊多重管１のケーシング管２及びスクリュー管５を地盤中の所定の深度まで掘削しながら貫入する。なお、この特殊多重管１のケーシング管２及びスクリュー管５による掘削しながらの貫入では、地盤中に礫や玉石等の硬質地盤層が存在していても、確実に所定の深度まで掘削しながら貫入することができる。
【００２５】
それから、図６（ｄ）に示すように、特殊多重管１のケーシング管２及びスクリュー管５を地盤中の所定の深度まで貫入した後、特殊多重管１のスクリュー管５の内部に改良材であるセメントミルクとエアーを供給し、スクリュー管５の下端の掘削ヘッド６に設けた複数の噴射口８から改良材であるセメントミルクとエアーを特殊多重管１内に噴射する。
【００２６】
そして、図６（ｅ）に示すように、特殊多重管１のケーシング管２及びスクリュー管５を上下に移動することなく停止した状態でケーシング管２及びスクリュー管５を回転して、噴射したセメントミルクと特殊多重管１内の原地盤土を混練する。このとき、図７に示すように、噴射したセメントミルクとエアーがスクリュー管５のスクリュー羽根１０に設けた貫通孔１１を通って上下へと流れて移動するようになり、このようにスクリュー管５のスクリュー羽根１０に設けた貫通孔１１によって噴射したセメントミルクとエアーを上下方向に移動させながらセメントミルクと特殊多重管１内の原地盤土を混練することで、セメントミルクと原地盤土の混練を良好かつ確実に行うことができる。
【００２７】
そして、図６（ｆ）に示すように、このセメントミルクと原地盤土の混練が地表面近くまで行われたら、図６（ｇ）に示すように、特殊多重管１のケーシング管２及びスクリュー管５を地盤中から引抜く。これによって、地盤中に柱状の地盤改良体Ｔを造成して地盤の改良を行うことができる。
【００２８】
なお、セメントミルクと原地盤土の混練が地表面近くまで行われると、このセメントミルクと原地盤土が混練したものが地表面上に少し排出されるようになるが、その後の特殊多重管１のケーシング管２及びスクリュー管５を地盤中から引抜くことにより、この引抜いた分だけの空間が地盤中にできることで、地表面上に排出されたセメントミルクと原地盤土が混練したものが再び地盤中に引き込まれるようになる。
【００２９】
また、特殊多重管１内に噴射口８から噴射して原地盤土と混練する改良材であるセメントミルクにあっては、その噴射量をコントロールするようにしている。これは、ケーシング管２から外の地表面上に排出する原地盤土の量を測定し、最終的な原地盤土の排出量を算出する。そして、この算出した原地盤土の排出量に基づいて、この原地盤土の排出量と略同じ量のセメントミルクを最終的に特殊多重管１内に噴射するように噴射口８からのセメントミルクの噴射量をコントロールする。
【００３０】
このように、原地盤土の排出量と略同じ量のセメントミルクを特殊多重管１内に噴射するように噴射口８からのセメントミルクの噴射量をコントロールすることで、セメントミルクの使用する量を必要最小限にすることができ、使用するセメントミルクの量を低減し、コストを抑えることができる。しかも、地表面上に排出されるセメントミルクと原地盤土が混練したものにあっては、通常の土砂とは異なり、廃棄処理作業が非常に大変なものとなるが、このセメントミルクと原地盤土が混練したものの排出される量を少なくできることから、このようなセメントミルクと原地盤土が混練したものの廃棄処理作業を大幅に減らすことができ、その作業も容易なものにすることができる。
【００３１】
以上のように、特殊多重管１を用いて、この特殊多重管１を地盤中の所定の深度まで掘削しながら貫入し、貫入後、セメントミルクとエアーを特殊多重管１内に噴射すると共に、スクリュー管５のスクリュー羽根１０に設けた貫通孔１１によって噴射したセメントミルクとエアーを上下方向に移動させながらセメントミルクと特殊多重管１内の原地盤土を混練することにより、地盤中に柱状の地盤改良体Ｔを造成することで、従来のような先行掘削作業と地盤改良体造成作業の二つの作業を行うことなく、このような一つの作業によって地盤中に柱状の地盤改良体Ｔを造成することができ、地盤改良工事における作業の工程を大幅に低減し、そして作業性の向上を図ることができる。
【００３２】
次に、この特殊多重管を用いた地盤改良工法の別の例について説明する。前述した特殊多重管を用いた地盤改良工法では、セメントミルクとエアーを特殊多重管１内に噴射してセメントミルクと原地盤土を混練するとき、特殊多重管１のケーシング管２及びスクリュー管５を上下に移動することなく停止した状態で行うようにしていたが、この代わりに、特殊多重管１のケーシング管２及びスクリュー管５を上方に移動しながら行うようにしたものである。
【００３３】
具体的には、前述した特殊多重管を用いた地盤改良工法と同様、図８（ａ）に示すように、施工機械２０に装着した特殊多重管１のケーシング管２及びスクリュー管５を回転させて地盤中に貫入する。そして、図８（ｂ）に示すように、ケーシング管２及びスクリュー管５の下端の掘削ヘッド６にて掘削しながら貫入する。なお、スクリュー管５のスクリュー羽根１０により排土を行い、地表面上に原地盤土を排出する。そして、図８（ｃ）に示すように、特殊多重管１のケーシング管２及びスクリュー管５を地盤中の所定の深度まで掘削しながら貫入する。それから、図９（ｄ）に示すように、特殊多重管１のケーシング管２及びスクリュー管５を地盤中の所定の深度まで貫入した後、特殊多重管１のスクリュー管５の内部に改良材であるセメントミルクとエアーを供給し、スクリュー管５の下端の掘削ヘッド６に設けた複数の噴射口８から改良材であるセメントミルクとエアーを特殊多重管１内に噴射する。
【００３４】
そして、図９（ｅ），（ｆ）に示すように、噴射口８からセメントミルクとエアーを特殊多重管１内に噴射しつつ、特殊多重管１のケーシング管２及びスクリュー管５を上方に徐々に移動しながらケーシング管２及びスクリュー管５を回転して、噴射したセメントミルクと特殊多重管１内の原地盤土を混練する。
【００３５】
そして、セメントミルクと原地盤土の混練が地表面近くまで行われたら、図９（ｇ）に示すように、特殊多重管１のケーシング管２及びスクリュー管５を地盤中から引抜く。これによって、地盤中に柱状の地盤改良体Ｔを造成して地盤の改良を行うことができる。
【００３６】
このように、特殊多重管１の下端においてセメントミルクとエアーを特殊多重管１内に噴射してセメントミルクと原地盤土を混練するとき、特殊多重管１を上方に移動しながら行うようにしたことで、セメントミルクと原地盤土の混練を良好かつ確実に行うことができると共に、この混練する速度も速めることができ、すなわち、セメントミルクと原地盤土の混練する作業を短くすることができ、作業時間の短縮を図ることができる。
【００３７】
なお、ここで説明した例では、セメントミルクとエアーを特殊多重管１内に噴射してセメントミルクと原地盤土を混練するとき、特殊多重管１のケーシング管２及びスクリュー管５を上方に移動しながら行うようにしていたが、さらに別の例として、特殊多重管１のスクリュー管５を上下に移動しながら行うようにしても良く、これは、たとえば、特殊多重管１のケーシング管２を上下に移動することなく停止した状態にしておき、スクリュー管５のみを上方へそして下方へと上下に移動しながらセメントミルクと原地盤土の混練を行うようにする。
【００３８】
また、ここでは、セメントミルク等の改良材とエアーを噴射して原地盤土と混練するようにしていたが、セメントミルク等の改良材のみを噴射して原地盤土と混練するようにしても良い。
【００３９】
一方、特殊多重管１の別の例について説明すると、前述した特殊多重管１において、セメントミルクとエアーを噴射する噴射口８にあっては、スクリュー管５の下端に取り付けた掘削ヘッド６に設けていたが、ここに限定されるものではなく、たとえば、図１０に示すように、掘削ヘッド６の上方であるスクリュー管５の下端に噴射口８を横に向けて複数設け、ここからセメントミルクとエアーを特殊多重管１内に噴射しても良い。
【００４０】
また、噴射口８をスクリュー管５側に設けるのではなく、図１１に示すように、ケーシング管２の下端に噴射口８を内側に向けて複数設けても良く、このように、噴射口８をケーシング管２側に設けた場合、ケーシング管２に上方から下方に向かう管路を形成する必要があるものの、噴射口８からケーシング管２の内側に向けてセメントミルクとエアーを噴射できることから、スクリュー管５のスクリュー羽根１０に対して外側からセメントミルクを流すことができ、これにより、外側においてもセメントミルクが確実に流れることで、セメントミルクと原地盤土の混練を極めて良好に行うことができる。
【００４１】
さらに、スクリュー管５の下端であるスクリュー管５側とケーシング管２の下端であるケーシング管２側の両方に複数の噴射口８を設け、この両方からセメントミルクとエアーを特殊多重管１内に噴射するようにしても良い。
【００４２】
次に、本発明の特殊多重管を用いた地盤改良工法についての試験を行ったので、以下に述べる。この試験としては、地盤中に造成した地盤改良体Ｔを調べるもので、特殊多重管１において、スクリュー羽根１０に貫通孔１１を複数設けたものを試験例Ａとし、貫通孔１１を全く設けていないものを試験例Ｂとし、これらを用いて地盤中に柱状の地盤改良体Ｔを造成し、この造成した地盤改良体Ｔの一部をサンプルとして採取し、採取したサンプルを調べて、良好な箇所、亀裂のある箇所、柔らかい部分のある箇所、不良な箇所の４つに分けて造成した地盤改良体Ｔの状態を評価した。
【００４３】
なお、このときの特殊多重管を用いた地盤改良工法は、セメントミルクとエアーを特殊多重管１内に噴射してセメントミルクと原地盤土を混練するとき、特殊多重管１のケーシング管２及びスクリュー管５を上下に移動することなく停止した状態で行うようにしたものであり、また、地盤中に造成する地盤改良体Ｔは、その直径が約１．６ｍで、地表面から約１０ｍの深度まで造成したものである。そして、この造成した地盤改良体Ｔの中心から０．４ｍの位置においてサンプルを採取する。
【００４４】
試験例Ａにおける地盤改良体Ｔの試験の結果としては、図１２に示すように、地表面近くの深度約０〜０．３ｍのところが不良な箇所、深度約０．３〜１．３ｍのところが亀裂のある箇所となり、また、深度約９．３〜９．７ｍのところが亀裂のある箇所となるものの、その場所は僅かであり、その他の場所すべてが良好な箇所になることから、地盤中に造成する地盤改良体Ｔにあっては、極めて良好なものにすることができる。
【００４５】
一方、試験例Ｂにおける地盤改良体Ｔの試験の結果としては、図１３に示すように、地表面近くの深度約０〜０．８ｍのところが不良な箇所、深度約０．８〜２．５ｍのところが柔らかい部分のある箇所、深度約２．５〜２．８ｍのところが不良な箇所、深度約２．８〜３．８ｍのところが柔らかい部分のある箇所となり、また、深度約５．８〜６．０ｍのところが亀裂のある箇所となり、また、深度約６．６〜７．８ｍのところが不良な箇所となり、さらに、深度約９．７〜１０ｍのところが柔らかい部分のある箇所となり、地表面から約１０ｍの深度まで造成した地盤改良体Ｔにおいて、その半分以上の場所が良好な箇所ではない何らかの問題のある箇所になることから、地盤中に造成する地盤改良体Ｔにあっては、良好なものにすることができなかった。
【００４６】
これらの結果から明らかなように、試験例Ａであるスクリュー羽根１０に貫通孔１１を複数設けたものは、試験例Ｂである貫通孔１１を設けていないものと比べて、地盤中に良好な地盤改良体Ｔを造成できることがわかる。
【００４７】
なお、前述した特殊多重管を用いた地盤改良工法にあっては、地盤の強度の増進を目的とし、地盤中に柱状の地盤改良体を造成して地盤の改良を行うものであったが、これに限定されるものではなく、地盤中の汚染物質の浄化を目的とし、地盤中に柱状の地盤改良体を造成して地盤の改良を行うものでも良い。これは、前述のものでは噴射口８からセメントミルク等の改良材を噴射し、セメントミルク等の改良材と原地盤土を混練して地盤中に柱状の地盤改良体を造成していたが、この代わりに、噴射口８から土壌浄化材を噴射し、土壌浄化材と原地盤土を混練して地盤中に柱状の地盤改良体を造成する。これにより、この地盤改良体に含まれる土壌浄化材における微生物が持つ化学物質の分解能力を活用した生物処理（バイオレメディエーション）によって、地盤中の汚染物質を浄化するようにしたものである。
【符号の説明】
【００４８】
１…特殊多重管、２…ケーシング管、３…ビット、４…排出用窓部、５…スクリュー管、６…掘削ヘッド、７…ビット、８…噴射口、１０…スクリュー羽根、１１…貫通孔、１２…格子、２０…施工機械、２１…車体、２２…マスト、２３…昇降装置、２４…回転装置、２５…セメントサイロ、２６…セメント生成装置、２７…ポンプ、２８…コンプレッサー、３０…二軸同軸式オーガー、３１…ケーシング管、３２…スクリュー軸、３３…スクリュー羽根、３４…施工機械、３５…深層混合機、３６…管ロッド、３７…攪拌翼、３８…噴射口、３９…施工機械
【図１】
0006490475.tif 000002
【図２】
0006490475.tif 000003
【図３】
0006490475.tif 000004
【図４】
0006490475.tif 000005
【図５】
0006490475.tif 000006
【図６】
0006490475.tif 000007
【図７】
0006490475.tif 000008
【図８】
0006490475.tif 000009
【図９】
0006490475.tif 000010
【図１０】
0006490475.tif 000011
【図１１】
0006490475.tif 000012
【図１２】
0006490475.tif 000013
【図１３】
0006490475.tif 000014
【図１４】
0006490475.tif 000015
【図１５】
0006490475.tif 000016